(57)【要約】【課題】  前パネルに操作ボタンと空気穴とが配置されたガスこんろにおいて、空気穴によって外観が損なわれるのを防止する作用を備えた操作ボタンのロック機構を提供する。【解決手段】  水平方向にスライドする板状のスライダ１５に係合部１５ｃを設け、このスライダ１５をロック側にスライドさせると、係合部１５ｃが点消火ボタン７に取り付けたプッシュ板１４の被係合部１４ａと係合して点消火ボタン７がロックされ、スライダ１５を解除側にスライドさせると、この係合が解除されて点消火ボタン７のロックが解除される。このようなロック機構１３において、スライダ１５を空気穴１２と離隔してこんろ本体内側に設け、このスライダ１５の板面が空気穴１２を隠すようにスライダ１５を配置する。【選択図】  図３
2006017317.tif 000002
【特許請求の範囲】
【請求項１】
ガスこんろの前パネルに、操作ボタンとこんろ本体内に空気を送る空気穴とが配置され、前記操作ボタンをロックし、または、ロックを解除する操作ボタンのロック機構であって、
水平方向にスライドする板状のスライダに係合部を設け、このスライダをロック側にスライドさせると前記係合部が前記操作ボタンの被係合部と係合して前記操作ボタンがロックされ、スライダを解除側にスライドさせると前記係合が解除されて前記操作ボタンのロックが解除される操作ボタンのロック機構において、
前記スライダを前記空気穴と離隔して前記こんろ本体内側に設け、このスライダの板面が前記空気穴を隠すようにスライダを配置した、
ことを特徴とする操作ボタンのロック機構。
【請求項２】
前記空気穴の前方にこの空気穴を隠す目隠し板を設け、この目隠し板と前記スライダとに通気孔を設け、前記スライダがロック側、解除側のいずれに位置する場合でも、前記スライダの板面によって前記目隠し板の通気孔が目隠しされるように前記通気孔を配置した、
ことを特徴とする請求項１に記載の操作ボタンのロック機構。
【請求項３】
前記前パネルの下側に前記操作ボタンが配置され、さらにこの操作ボタンの下側にほぼ水平に延びる前記空気穴が配置され、前記スライダの上側に前記係合部を設けた、
ことを特徴とする請求項１または２に記載の操作ボタンのロック機構。
【発明の詳細な説明】
【技術分野】
【０００１】
本発明は、ガスこんろの前パネルに配置された操作ボタンが押されないようにロックし、またはロックを解除するロック機構に関する。
【背景技術】
【０００２】
ガスこんろのバーナを点火、消火する点消火ボタン（操作ボタン）は、前パネルに配置され、誤ってバーナを点火してしまうのを防ぐために、ロック機構が設けられている。この種のロック機構として、板状のスライダにロック腕を設け、スライダの操作部をロック側にスライドさせると、スライダのロック腕が点消火ボタンの背面に入り込んで、点消火ボタンが押せないようになるものが知られている（例えば、特許文献１参照。）。そして、このようなロック機構では、スライダの操作部を解除側にスライドさせると、スライダのロック腕が点消火ボタンの背面から退避し、点消火ボタンを押せるようになっている。
【特許文献１】特開平９−８９２６４号公報
【発明の開示】
【発明が解決しようとする課題】
【０００３】
ところで、近年、ガスこんろにおいて、全体としてすっきりとした高級感のあるデザインが好まれており、複数の点消火ボタンを前パネルの下側に一直線上に配置する場合がある。
【０００４】
一方、特に、ビルトイン式のこんろにおいては、こんろ本体内のバーナへ燃焼用の空気を送ったり、ガスバルブなどを冷却するための空気を送ったりする空気穴を、前パネルの下側に配置する必要がある。このような空気穴は適正な空気量を得るために、ある程度の大きさを要するが、大きな空気穴を前パネルに設けると、空気穴からこんろ本体内が丸見えとなり、外観を損ねてしまう。また、こんろ本体内が見えにくいように、水平に細長い空気穴を設けることも考えられるが、これでは、ほこりなどで目詰まりしてしまうおそれがある。
【０００５】
そこで本発明は、前パネルに操作ボタンと空気穴とが配置されたガスこんろにおいて、空気穴によって外観が損なわれるのを防止する作用を備えた操作ボタンのロック機構を提供することを目的とする。
【課題を解決するための手段】
【０００６】
上記目的を達成するために本発明は、ガスこんろの前パネルに、操作ボタンとこんろ本体内に空気を送る空気穴とが配置され、操作ボタンをロックし、または、ロックを解除する操作ボタンのロック機構であって、水平方向にスライドする板状のスライダに係合部を設け、このスライダをロック側にスライドさせると係合部が操作ボタンの被係合部と係合して操作ボタンがロックされ、スライダを解除側にスライドさせると係合が解除されて操作ボタンのロックが解除される操作ボタンのロック機構において、スライダを空気穴と離隔してこんろ本体内側に設け、このスライダの板面が空気穴を隠すようにスライダを配置したことを特徴としている。
（作用）
スライダの板面が空気穴を隠して、ガスこんろ正面からこんろ本体内を見えにくくするため、空気穴が大きくてもガスこんろの外観を損なうことがない。また、スライダが空気穴と離隔して設けられているため、この離隔された隙間から外気（空気）がこんろ本体内に取り入れられる。さらに、スライダが空気穴と離隔してこんろ本体内側に設けられているため、スライダのつまみが奥側に配置され、子供などにもわかりにくくなり、むやみにつまみを触ることがなく安全である。
【０００７】
また、前パネルの下側に操作ボタンが配置され、さらにこの操作ボタンの下側にほぼ水平に延びる空気穴が配置され、スライダの上側に係合部を設けたことを特徴としている。
（作用）
前パネルの下側に操作ボタンが配置され、さらにその下側にほぼ水平に延びる空気穴が配置されているため、外側から空気穴が見えにくくなり、すっきりとした高級感のある外観が得られ、しかも、こんろ本体内に十分な空気を取り入れることができる。
【発明の効果】
【０００８】
本発明によれば、ガスこんろの外観を損ねずに空気穴を大きくして、こんろ本体内に十分な空気を取り入れることができる。また、スライダが空気穴の目隠しとしても機能するため、別途目隠しを設ける必要がなく、部品点数、組み付け工数などが低減される。
【０００９】
しかも、前パネルの下側に操作ボタン、さらにその下側に空気穴を配置することで、すっきりとした高級感のある外観が得られる。
【発明を実施するための最良の形態】
【００１０】
以下、本発明を図示の実施形態に基づいて説明する。
【００１１】
図１は、本実施形態に係るガスこんろ１を示す正面図であり、図２は、図１における点消火ボタン７，８の近傍を拡大した正面図である。
【００１２】
このガスこんろ１は、３つのこんろ２〜４（こんろ２は後方）とグリル（加熱調理器）５とを備え、グリル５はガスこんろ１を正面から見て中央部に組み込まれている。前パネル６は本実施形態では耐熱樹脂製で、表面には操作に関する表示が印刷されており、下側に、正面が四角形で同形状の点消火ボタン（操作ボタン）７〜１０が一直線上に配置されている。また、符号１１はグリル５の前扉の取っ手であり、この取っ手１１は点消火ボタン７〜１０と一直線上になるように配置されている。
【００１３】
点消火ボタン７〜１０は樹脂製の押しボタンで、第１点消火ボタン７は第１こんろ３を、第２点消火ボタン８は第２こんろ２を、第３点消火ボタン９は第３こんろ４を、第４点消火ボタン１０はグリル５を点火または消火するものである。これらの点消火ボタン７〜１０は、プッシュプッシュ機構方式のガスバルブ（図示せず）を押すことで、ガスバーナを点火、消火するものであり、点消火ボタン７，８および点消火ボタン９，１０をロックし、または、ロックを解除するロック機構１３がそれぞれ設けられている。また、点消火ボタン７，８および点消火ボタン９，１０の下側には、水平に延びる空気穴１２がそれぞれ設けられている。
【００１４】
図３は、図２をこんろ本体内側から見た背面図であり、図４は図３中のＡ−Ａ断面図である。以下、図２〜４に基づいて、点消火ボタン７、８およびロック機構１３について説明する。なお、点消火ボタン９、１０およびそのロック機構１３についても、同様な構造である。
【００１５】
前パネル６には四角いボタン窓６ａが形成されており、このボタン窓６ａから点消火ボタン７、８の前面７ｂ、８ｂが出入りするように、点消火ボタン７、８が取り付けられている。すなわち、（ここでは、点消火ボタン７のみについて説明する。）図３，４に示すように、点消火ボタン７の上部両側端に支持軸７ａ，７ａが形成され、この支持軸７ａ，７ａが前パネル６の軸受け６ｂに回動可能に支持されている。そして、支持軸７ａ，７ａを軸にして点消火ボタン７が回動することによって、前面７ｂがボタン窓６ａから出入りするようになっている。また、点消火ボタン７の背面側には、ガスバルブを押すプッシュ板１４が取り付けられ、このプッシュ板１４の下端中央部には、凸形の被係合部１４ａが形成されている。さらに、この被係合部１４ａの両側には凹形の退避部１４ｂが形成され、この退避部１４ｂは空気の流路も兼ね備えている。
【００１６】
このように点消火ボタン７、８が取り付けられた状態で、点消火ボタン７、８の下端部とボタン窓６ａの下端縁６ｃとの間には、水平に延びる隙間ができるようになっており、この隙間が空気穴１２となっている。この空気穴１２のこんろ本体内側にロック機構１３が設けられている。
【００１７】
このロック機構１３は板状のスライダ１５を有し、このスライダ１５は、前パネル６を正面から見て空気穴１２とほぼ同位置で、空気穴１２から離隔して（図４に示すように、側面から見て空気穴１２との隙間が生じるように）配置されている。このスライダ１５のリブ状の下端縁１５ａは、ボタン窓６ａの下端縁６ｃとその下側に設けられたリブ状のガイド１６とで挟まれている。そして、図３に示すように、このガイド１６に形成されたガイド穴１６ａにスライダ１５の下端縁１５ａに形成されたガイドピン１５ｂが挿入され、スライダ１５が、ボタン窓６ａの下端縁６ｃ、ガイド１６およびガイド穴１６ａに案内されながら、水平方向にスライドするようになっている。
【００１８】
このスライダ１５の板面は、空気穴１２よりもやや大きい形状をしており、前パネル６を正面から見て、スライダ１５の板面によって空気穴１２が目隠しされるようになっている。このスライダ１５の上端（上側）には、開放端が点消火ボタン７、８側に向かったＬ字状の係合部１５ｃが、点消火ボタン７、８に対向して２つ形成されている。また、スライダ１５の一側端部にはつまみ１５ｄが形成されており、このつまみ１５ｄは前パネル６のつまみ窓６ｄを介して、前パネル６から突き出ている。そして、つまみ１５ｄを持ってスライダ１５をロック側（図２，３に示す状態）にスライドさせると、係合部１５ｃがプッシュ板１４の被係合部１４ａの背面に位置し、点消火ボタン７、８を押そうとしても被係合部１４ａが係合部１５ｃに当たり（係合し）、点消火ボタン７、８がロックされて押せなくなる。また、つまみ１５ｄを持ってスライダ１５を解除側（図２，３に示す状態と反対側）にスライドさせると、係合部１５ｃがプッシュ板１４の退避部１４ｂに位置し、係合部１５ｃと被係合部１４ａとの当たり（係合）が解除され、図５に示すように、点消火ボタン７、８が押せるようになる（ロックが解除される）ものである。以上のように、本実施形態では、前パネル６，スライダ１５，ガイド１６および，点消火ボタン７、８に取り付けられたプッシュ板１４によって、ロック機構１３が構成されている。
【００１９】
このような構成のロック機構１３によれば、スライダ１５の板面が空気穴１２を隠してこんろ本体内を見えにくくするため、空気穴１２が大きくてもガスこんろ１の外観を損なうことがない。また、スライダ１５が空気穴１２と離隔して設けられているため、図４，５に示すように、この離隔された隙間から外気（空気）がこんろ本体内に取り入れられる。このため、ガスこんろ１の外観を損ねずに空気穴１２を大きくして、こんろ本体内に十分な空気、すなわち、バーナの燃焼やガスバルブなどの冷却に必要な十分な空気をこんろ本体内に送ることができる。また、こんろ本体内が見えにくいように細長い空気穴１２にする必要もないので、ほこりなどによって空気穴１２が目詰まりすることもない。しかも、スライダ１５が空気穴１２の目隠しとしても機能するため、別途目隠しを設ける必要がなく、部品点数、組み付け工数などが低減される。
【００２０】
ところで、上記のように、点消火ボタン７〜１０とグリル５の前扉の取っ手１１とは一直線上になるように配置されており、また、点消火ボタン７〜１０の高さ（垂直方向の高さ）と取っ手１１の高さとは同じ高さとなっている。さらに、点消火ボタン７〜１０の突出量（前パネル６から突き出る量）と取っ手１１の突出量とが同じになるように設計されている。これにより、水平方向、高さ方向および、奥行き方向（前パネル６に垂直な方向）において、点消火ボタン７〜１０と取っ手１１とが、一体的に前パネル６の下側に配置される。この結果、全体として連続性、一体感のある、すっきりとした良好な外観が得られる。しかも、上記のように、このように配置された点消火ボタン７〜１０の下側に、水平に延びる空気穴１２が配置されているため、外側から空気穴１２自体が見えにくくなり、すっきりとした高級感のある外観となる。
【００２１】
ところで、本実施形態では、前パネル６の下側に点消火ボタン７〜１０が配置されているが、点消火ボタンに限らず、その他の操作ボタンであってもよいことは勿論である。また、本実施形態では、プッシュ板１４に被係合部１４ａを設けているが、点消火ボタン７〜１０自体に被係合部を設けてもよい。
【００２２】
また、図６に示すような構成としてもよい。すなわち、ボタン窓６ａの下端縁６ｃに空気穴を隠す目隠し板６ｅを設け、この目隠し板６ｅに複数のスリット（通気孔）６ｆを設ける。一方、スライダ１５にも、目隠し板６ｅのスリット６ｆと同形状のスリット（通気孔）１５ｅを複数設ける。また、スライダ１５がロック側、解除側のいずれに位置する場合でも、スライダ１５のスリット１５ｅと目隠し板６ｅのスリット６ｆとが一致せず、常に、スライダ１５の板面によって目隠し板６ｅのスリット６ｆが目隠しされるように、スリット１５ｅ、６ｆを配置する。そして、外気（空気）は、目隠し板６ｅのスリット６ｆ、目隠し板６ｅとスライダ１５との隙間（空間）および、スライダ１５のスリット１５ｅを介して、こんろ本体内に送られるようにするものである。なお、この場合、スライダ１５を解除側にスライドさせた場合（燃焼時）に、スライダ１５のスリット１５ｅが目隠し板６ｅのスリット６ｆに近づく（一致はしない）ようにすると、外気がより効率的にこんろ本体内に送られる。
【図面の簡単な説明】
【００２３】
【図１】本実施形態に係るガスこんろを示す正面図。
【図２】図１における左側の点消火ボタンの近傍を拡大した正面図。
【図３】図２をこんろ本体内側から見た背面図。
【図４】図３中のＡ−Ａ断面図。
【図５】図４において、点消火ボタンを押した状態を示す断面図。
【図６】本実施形態において、他のスライダを有する場合の図４と同じ状態を示す断面図。
【符号の説明】
【００２４】
１          ガスこんろ
２〜４      こんろ
５          グリル
６          前パネル
６ａ        ボタン窓
７〜１０    点消火ボタン（操作ボタン）
１１        グリルの前扉の取っ手
１２        空気穴
１３        ロック機構
１４        プッシュ板
１４ａ      被係合部
１５        スライダ
１５ｃ      係合部
１６        ガイド
【図１】
2006017317.tif 000003
【図２】
2006017317.tif 000004
【図３】
2006017317.tif 000005
【図４】
2006017317.tif 000006
【図５】
2006017317.tif 000007
【図６】
2006017317.tif 000008